(57)【特許請求の範囲】
【請求項１】
ファクシミリ装置本体の外装筐体の一部に設けられ、前記装置本体にオプションボードを差し込むための開口部と、
前記開口部の内側かつ差込方向入口近傍に、前記オプションボードの差込方向と直交する方向に設けられたオプションボードカバーを固定する面を有するフレームと、
前記装置本体内における前記オプションボードの差込方向端部に設けられ前記オプションボードと接続するコネクタと、
前記差込方向に平行な前記オプションボードの一側部が挿入されて、前記開口部から前記コネクタへ前記オプションボードをガイドするガイドレールと、
前記ガイドレールと対向する前記フレームの一部に設けられて、前記オプションボードの一側部に平行な他側部における位置決めをすると共に前記差込方向入口近傍の案内をする切欠きとを備えたファクシミリ装置であって、
前記フレームに、前記オプションボードの非挿入時に前記開口部を閉ざす小カバーをねじ止め固定するためのねじ孔を設け、前記オプションボードを差し込んだ時に外部に突出する部分を挟むブラケットを前記オプションボードに取り付け、前記フレームのねじ孔に対応する前記ブラケットの一部にねじ孔を設けて、これらのねじ孔に対してねじ止め固定し、さらに前記ブラケットを前記フレームに固定した状態で、前記ブラケットにブラケットカバーを固定して前記ブラケットをカバーすることを特徴とするファクシミリ装置。
【発明の詳細な説明】
【０００１】
【発明の属する技術分野】
本発明は、ファクシミリ装置に関するものである。
【０００２】
【従来の技術】
図１１は従来のファクシミリ装置の内部構成を示す側面図であり、１は画像記録用のプロセスカートリッジ２や給紙部３を備えた本体ユニット、４はピックアップローラ５，フィードローラ６，画像読取センサ７およびフィードローラ６を回転させる駆動モータ８さらに用紙の下面をガイドする下ガイド面９等を備えたスキャナユニット、１０は、分離パッド１１，ホワイトローラ１２，用紙の上面をガイドする上ガイド面１３等を備え、さらに上部に操作部１４を備えた操作ユニット、１５は本体ユニット１の上部に設けられた原稿載置部、１６は本体ユニット１を装着する給紙カセット、１７は排出された原稿をスタックする原稿トレイ、１８は排出された画像記録後の用紙をスタックする記録紙トレイを示す。
【０００３】
スキャナユニット４は本体ユニット１の上端部に回動可能に設置されており、操作ユニット１０はスキャナユニット４の上端部に回動可能に設置されている。操作ユニット１０を閉じた状態においては分離パッド１１がフィードローラ６に当接し、ホワイトローラ１２が画像読取センサ７の上部に位置する。
【０００４】
そして、回線を介して受信した画像データあるいは画像読取センサ７によって読み取られた画像データが、本体ユニット１内において電子写真プロセスによって記録紙に記録され、外部に排出される。
【０００５】
ところで、ファクシミリ装置の機能を拡張するための手段として、オプションボードを取り付けて新たな機能を付加することが一般に行われている。例えば、ファクシミリ装置をプリンタとして使用したい場合、ファクシミリ装置にプリンタＩ／Ｆボードを装着して、他の端末から画像データを入力することが可能にするものがある。
【０００６】
【発明が解決しようとする課題】
しかしながら、従来におけるオプションボードを装着する作業は大変に手間のかかるものであった。すなわち、まず本体カバーを外し、シールド板を外し、オプションボードを取り付け、ケーブルを接続し、シールド板および本体カバーを再び組み付けるという作業を行っていた。
【０００７】
本発明は、このような問題点を解決し、オプションボードが容易に装着できるファクシミリ装置を提供することを目的とする。
【０００８】
【課題を解決するための手段】
前記目的を達成するための本発明は、ファクシミリ装置本体の外装筐体の一部に設けられ、前記装置本体にオプションボードを差し込むための開口部と、前記開口部の内側かつ差込方向入口近傍に、前記オプションボードの差込方向と直交する方向に設けられたオプションボードカバーを固定する面を有するフレームと、前記装置本体内における前記オプションボードの差込方向端部に設けられ前記オプションボードと接続するコネクタと、前記差込方向に平行な前記オプションボードの一側部が挿入されて、前記開口部から前記コネクタへ前記オプションボードをガイドするガイドレールと、前記ガイドレールと対向する前記フレームの一部に設けられて、前記オプションボードの一側部に平行な他側部における位置決めをすると共に前記差込方向入口近傍の案内をする切欠きとを備えたファクシミリ装置であって、前記フレームに、前記オプションボードの非挿入時に前記開口部を閉ざす小カバーをねじ止め固定するためのねじ孔を設け、前記オプションボードを差し込んだ時に外部に突出する部分を挟むブラケットを前記オプションボードに取り付け、前記フレームのねじ孔に対応する前記ブラケットの一部にねじ孔を設けて、これらのねじ孔に対してねじ止め固定し、さらに前記ブラケットを前記フレームに固定した状態で、前記ブラケットにブラケットカバーを固定して前記ブラケットをカバーすることを特徴とし、このような構成により、オプションボードの一方の側部を切欠きとガイドレールに係合させて、押し込むことによって本体への装着が可能になり、しかも一部が外部に突出しても、ブラケットを介してフレームに固定させることで、本体に容易に装着することができる。
【００１３】
【発明の実施の形態】
以下、本発明の実施形態について、図面を参照しながら説明する。なお、図１１に示した従来技術における部材と同一の部材については同一の符号を付して詳細な説明は省略する。
【００１４】
図１は本発明の実施形態の装置の外観を示す斜視図、図２は図１の装置の背面構成を示す斜視図、図３はオプションボードの取り付け部分の構成を示す斜視図、図４は図３のオプションボードの取り付け部分の正面図であり、２０は本体ユニット１の外装カバー、２１は外装カバー２０の背面の下方の角部に設けられた長方形の開口部２０ａを閉じる小カバー、２２は小カバー２１を本体ユニット１に固定するための固定ねじ、２３は手差し給紙装置（図示せず）の取付部を開閉する開閉カバー、２４は給紙部３付近のジャム処理用の開閉カバー、２５は、外装カバー２０内に固定され、本体ユニット１の各種装置を設置するためのフレーム、２６はコネクタを示す。
【００１５】
開口部２０ａは長手方向が上下になるように形成されており、外装カバー２０の底面には、長手方向が開口部２０ａ側から奥側に向かう溝状のガイドレール２０ｂが、外装カバー２０と一体に形成されている。また、フレーム２５における開口部２０ａとの対向部位には上下幅が開口部２０ａより狭く設定された開口部２５ａが形成されている。この開口部２５ａにおけるガイドレール２０ｂ先端部との対向部位には開口部２０ａの縁部に連続した下部切欠き２５ｂが形成されており、開口部２５ａにおける下部切欠き２５ｂとの対向部位には開口部２０ａの端部に連続した上部切欠き２５ｃが形成されている。また、上部切欠き２５ｃおよび下部切欠き２５ｂの側方にはねじ孔２５ｄ，２５ｄが形成されている。
【００１６】
さらに、本体ユニット１内における開口部２０ａの側方にはプリント基板（図示しない）が配設されており、このプリント基板に搭載されているコネクタ２６が、その長手方向が上下方向を向くようにガイドレール２０ｂの後端部に配置されており、開口部２０ａに挿入されたオプションボードがコネクタ２６に接続される。また、オプションボードを挿入しない場合には、小カバー２１で開口部２０ａをカバーし、その状態で固定ねじ２２，２２をねじ孔２５ｄ，２５ｄに螺合させることにより、小カバー２１が本体ユニット１に固定される。
【００１７】
図５はオプションボードの外観構成を示す斜視図であり、２７はオプションボードであるプリンタＩ／Ｆボードを示す。このプリンタＩ／Ｆボード２７は、各種の電子部品が搭載されている基板部２７ａと、この基板部２７ａの長手方向一側部設けられ、外部端末の入出力部に接続されるＩ／Ｆ部２７ｂと、他側部に設けられ、コネクタ２６に接続される電極部２７ｃが形成されている。また、Ｉ／Ｆ部２７ｂの入出力面は基板部２７ａの面に対して直角になるように、Ｉ／Ｆ部２７ｂが基板部２７ａに取り付けられている。２８はＩ／Ｆ部２７ｂに取り付けるカバーを示し、このカバー２８は、開口部２０ａよりも若干小さく、かつ開口部２５ａを覆う程度の大きさを有し、表面からＩ／Ｆ部２７ｂのコネクタ部分が突出している。
【００１８】
次に、プリンタＩ／Ｆボード２７の装着動作について説明する。
【００１９】
まず、基板部２７ａの一方の側端部を上部切欠き２５ｃに挿入しながら、他方の側端部をガイドレール２０ｂに挿入させて、その状態でプリンタＩ／Ｆボード２７を水平方向に押し込む。このとき、プリンタＩ／Ｆボード２７はガイドレール２０ｂガイドによってコネクタ２６側に移動し、やがて電極部２７ｃがコネクタ２６に当接する。そして、若干の力を加えてプリンタＩ／Ｆボード２７を押し込むことにより、電極部２７ｃがコネクタ２６に嵌合して、基板部２７ａが水平面に対して垂直方向を向いた状態で維持される。また、外側においては、図６に示すように、開口部２５ａがカバー２８によって覆われ、かつ開口部２０ａからＩ／Ｆ部２７ｂが突出するようになる。そして、固定ねじ２２，２２をねじ孔２５ｄ，２５ｄに螺合させることにより、プリンタＩ／Ｆボード２７が本体ユニット１に固定される。
【００２０】
次に、オプションボードがＧ４ボードである場合について説明する。
【００２１】
図７はＧ４ボードの外観を示す斜視図であり、２９はＧ４ボードを示す。このＧ４ボード２９は、各種の電子部品が搭載されている基板部２９ａと、この基板部２９ａの長手方向一側部設けられ、電話回線と接続するためのＩ／Ｆ部２９ｂと、他側部に設けられ、コネクタ２６に接続される電極部２９ｃとが形成されている。また、３０，３１はＩ／Ｆ部２９ｂ側の基板部２９ａの一部を挟むように取り付けて基板面をカバーするブラケットを示す。このブラケット３０の上下の端部には、ねじ孔２５ｄ，２５ｄに対応するねじ孔３０ａ，３０ａが形成されている。
【００２２】
Ｇ４ボード２９の装着は、前述したプリンタＩ／Ｆボード２７と同じ要領で行うことができる。ここで、Ｇ４ボード２９を差し込んだときに、ねじ孔２５ｄ，２５ｄにねじ孔３０ａ，３０ａが対向する。そして、後方から長いドライバを使用して固定ねじ２２，２２をねじ孔２５ｄ，２５ｄに螺合させることにより、Ｇ４ボード２９が本体ユニット１に固定される。最後に、本体ユニット１から突出したブラケット３０の部分にカバー３２が取り付けられ、ブラケット３０にねじ止めされることにより、図８に示すように装着される。この時、Ｉ／Ｆ部２９ｂのみが外部に露出する。
【００２３】
このように構成したことにより、基板部２７ａの側端部を上部切欠き２５ｃとガイドレール２０ｂに係合させて、プリンタＩ／Ｆボード２７あるいはＧ４ボード２９等のオプションボードを押し込むことによって本体ユニット１への装着が可能になり、従来におけるカバーや多くのねじを外したりする作業を必要としないようになる。また、ガイドレール２０ｂが外装カバー２０の底面に形成されたことにより、オプションボードの自重によりガイドレール２０ｂと基板部２７ａ，２９ａとの係合状態が維持されるため、オプションボードの挿入が容易になる。
【００２４】
しかも、オプションボードのガイドレール２０ｂ側の端部を基準とすることができるため、コネクタ２６の位置設定、さらに電極部２７ｃ，電極部２９ｃの形成位置の寸法設定が容易になり、部品の製造が容易になる。
【００２５】
また、オプションボードがＧ４ボードである場合に、ケーブルを介さず本体ユニット１に直接接続されるために、ノイズの発生が低減される。また、ブラケット３０を介してフレーム２５に固定されるために、一部が外部に突出しても本体ユニット１に容易に装着することができる。
【００２６】
図９は本発明の第２実施形態のファクシミリ装置における外装カバーの要部構成を示す正面図、図１０は本発明の第２実施形態のファクシミリ装置におけるオプションボード取り付け部分の要部構成を示す正面図であり、２０ｃは第２ガイドレール、２５´はフレーム、３３はコネクタを示す。なお、図１〜図６に示した第１実施形態および、図１１に示した従来技術における部材と同一の部材については同一の符号を付して詳細な説明は省略する。
【００２７】
第２実施形態のファクシミリ装置は、第１実施形態のファクシミリ装置に対して、ガイドレール２０ｂ（以下、第１ガイドレール２０ｂと称する）に並列して第２ガイドレール２０ｃを設け、さらに本体ユニット１内に、コネクタ２６を搭載したプリント基板（図示せず）を第１ガイドレール２０ｂの端部に対向する位置に配置するか、またはコネクタ３３を搭載したプリント基板（図示せず）を第２ガイドレール２０ｃの端部に対向する位置に配置するように装着したものである。
【００２８】
コネクタ２６にはＧ４ファクシミリの機能を付加するためのＧ４ボードが接続されることに対し、コネクタ３３にはプリンタＩ／Ｆボード２７が接続される。ここで、ファクシミリ装置を、プリンタ機能の付加を可能なタイプにするか、Ｇ４ファクシミリの付加を可能なタイプにするか、目的に応じて外装カバー２０内に装着するフレームを選択する。Ｇ４ファクシミリの付加を可能なタイプにする場合には、図１０（ａ）に示すように、コネクタ２６を搭載したプリント基板およびフレーム２５を装着することにより、第２ガイドレール２０ｃはフレーム２５に隠れ、第２ガイドレール２０ｃに対するオプションボードの挿入は不可能になる。
【００２９】
プリンタ機能の付加を可能なタイプにする場合には、図１０（ｂ）に示すように、コネクタ３３を搭載したプリント基板およびフレーム２５´を装着する。このフレーム２５´には、第２ガイドレール２０ｃおよびコネクタ３３の位置に対応させて、開口部２５´ａ、下部切欠き２５´ｂ、上部切欠き２５´ｃの位置が設定されている。そして、フレーム２５´を装着することにより、第１ガイドレール２０ｂはフレーム２５´に隠れ、第１ガイドレール２０ｂに対するオプションボードの挿入は不可能になる。なお、プリンタＩ／Ｆボード２７を装着しない場合には、小カバー２１に固定ねじ２２，２２を挿入し、ねじ孔２５´ｄ，ねじ孔２５´ｄに螺合させることによって開口部２０ａが閉じられる。
【００３０】
このように構成したことにより、プリンタ機能の付加を可能なタイプとしてファクシミリ装置を構成する場合と、Ｇ４ファクシミリの付加を可能なタイプとしてファクシミリ装置を構成する場合とにおいて、同一の外装カバー２０を適用することが可能になる。しかも挿入すべきガイドレールのみにオプションボードが挿入可能になり、オプションボードの誤装着が防止できる。
【００３１】
【発明の効果】
以上、説明したように構成された本発明によれば、オプションボードの一方の側部を切欠きとガイドレールに係合させて、押し込むことによって本体への装着が容易に可能になり、従来におけるカバーや多くのねじを外したりする作業が必要としないようになる。また、一部が外部に突出しても、ブラケットを介してフレームに固定させることで、本体に容易に装着することができ、取り付け時間が短くなる。
【図面の簡単な説明】
【図１】本発明の実施形態の装置の外観を示す斜視図
【図２】図１の装置の背面構成を示す斜視図
【図３】図２のオプションボードの取り付け部分の斜視図
【図４】図２のオプションボードの取り付け部分の正面図
【図５】オプションボードの外観構成を示す斜視図
【図６】プリンタＩ／Ｆボードの取り付け構造を示す斜視図
【図７】Ｇ４ボードの外観を示す斜視図
【図８】Ｇ４ボードの取り付け構造を示す斜視図
【図９】本発明の第２実施形態のファクシミリ装置における外装カバーの要部構成を示す正面図
【図１０】本発明の第２実施形態のファクシミリ装置におけるオプションボード取り付け部分の要部構成を示す正面図
【図１１】従来のファクシミリ装置の内部構成を示す側面図
【符号の説明】
１  本体ユニット
２０  外装カバー
２０ａ，２５ａ，２５´ａ  開口部
２０ｂ  （第１）ガイドレール
２０ｃ  第２ガイドレール
２１  小カバー
２２  固定ねじ
２５，２５´  フレーム
２５ｂ，２５´ｂ  下部切欠き
２５ｃ，２５´ｃ  上部切欠き
２５ｄ，２５´ｄ  ねじ孔
２６，３３  コネクタ
２７  プリンタＩ／Ｆボード
２７ａ，２９ａ  基板部
２７ｂ，２９ｂ  Ｉ／Ｆ部
２７ｃ，２９ｃ  電極部
２８，３２  カバー
２９  Ｇ４ボード
３０，３１  ブラケット
３０ａ  ねじ孔
【図１】
0003731711.tif 000002
【図２】
0003731711.tif 000003
【図３】
0003731711.tif 000004
【図４】
0003731711.tif 000005
【図５】
0003731711.tif 000006
【図６】
0003731711.tif 000007
【図７】
0003731711.tif 000008
【図８】
0003731711.tif 000009
【図９】
0003731711.tif 000010
【図１０】
0003731711.tif 000011
【図１１】
0003731711.tif 000012